(57)【要約】【課題】取付け作業が容易で、かつ設計、製造が容易な壁つなぎ用アンカー金具を提供する。作業が容易で確実な、壁つなぎ用アンカー金具の取付け方法を提供する。【解決手段】一端にボルトと螺合するねじ部２を備え、他端に建築物の構造体と当接する当接部３を備える壁つなぎ用アンカー金具１において、当接部３に複数の貫通穴５，６が穿設されるとともに、貫通穴５，６の軸心５ａ，６ａはねじ部２の軸心２ａに対してオフセットされている。また、ねじ部２と当接部３の間にはプレート状支持部４があって、ねじ部２と当接部３を連結するとともに、当接部３はプレート状支持部４に対して、直角をなす。また、当接部３は、平板の一端の部位を直角に折り曲げて形成される。また、ねじ部２は、前記平板の他端の部位を略半円形に湾曲させて、湾曲された前記部位を折り返して、円筒を形成し、更に前記円筒の内面２ｂに雌ねじ２ｃを刻んで形成される。【選択図】図１
2011080235.tif 000002
【特許請求の範囲】
【請求項１】
ボルトと螺合するねじ部を一端に備え、建築物の構造体と当接する当接部を他端に備える壁つなぎ用アンカー金具において、
前記当接部に複数の貫通穴が穿設されるとともに、前記貫通穴の軸心は前記ねじ部の軸心に対してオフセットされている
ことを特徴とする壁つなぎ用アンカー金具。
【請求項２】
２個の前記貫通穴が前記当接部に穿設されている
ことを特徴とする請求項１に記載の壁つなぎ用アンカー金具。
【請求項３】
２個の前記貫通穴の軸心はいずれも前記ねじ部の軸心に対してオフセットされている
ことを特徴とする請求項２に記載の壁つなぎ用アンカー金具。
【請求項４】
前記ねじ部と前記当接部の間にはプレート状支持部があって、
前記プレート状支持部は前記ねじ部と前記当接部を連結するとともに、
前記当接部は前記プレート状支持部に対して直角をなす
ことを特徴とする請求項１に記載の壁つなぎ用アンカー金具。
【請求項５】
平板を素材とするとともに、
前記当接部は、前記平板の一端の部位を直角に折り曲げて形成されている
ことを特徴とする請求項４に記載の壁つなぎ用アンカー金具。
【請求項６】
前記ねじ部は、前記平板の他端の部位を略半円形に湾曲させて、湾曲された前記部位を折り返して、円筒を形成し、更に前記円筒の内面にねじ溝を刻んで形成されている
ことを特徴とする請求項５に記載の壁つなぎ用アンカー金具。
【請求項７】
ボルトと螺合するねじ部を一端に備え、建築物の構造体と当接する当接部を他端に備えるとともに、前記当接部に複数の貫通穴が穿設されて、前記貫通穴の軸心が前記ねじ部の軸心に対してオフセットされている壁つなぎ用アンカー金具を前記建築物の構造体に固定する壁つなぎ用アンカー金具の固定方法において、
前記当接部を取付対象の建築物の構造体に当接させる取付工程と、
ドリルビスを前記当接部の前記貫通穴に挿通して、前記ドリルビスを前記構造体に螺合させる穿孔・ねじ締め工程と、を有する
ことを特徴とする壁つなぎ用アンカー金具の固定方法。
【発明の詳細な説明】
【技術分野】
【０００１】
本発明は、壁つなぎ用アンカー金具、及び該壁つなぎ用アンカー金具の固定方法に関する。
【背景技術】
【０００２】
建築工事用の仮設足場は、壁つなぎ用金具を介して建築物に連結（壁つなぎ）される。この壁つなぎには次のような役割がある（非特許文献１、２）。
（１）仮設足場の全体座屈を防止する。
（２）朝顔、ネットフレーム（養生わく）などによる偏心荷重を支え、倒壊を防止する。
（３）風荷重による倒壊を防止する。
【０００３】
建築物の構造体には壁つなぎ用アンカー金具が固定されて、壁つなぎ用アンカー金具は壁つなぎ用金具に連結される。つまり、壁つなぎ用アンカー金具は、壁つなぎ用アンカー金具は建築物の外壁の内部または外壁の内側で構造体に固定されるとともに、外壁の外側にある壁つなぎ用金具に連結されて、足場を建築物に連結する金具である。なお、「建築物の構造体」とは、一般に柱、梁あるいは耐力壁等の一次部材を指すが、一次部材に取り付けられた小部材、つまり二次部材も、「建築物の構造体」に含まれる。したがって、壁つなぎ用アンカー金具は二次部材に固定される場合もある。
【０００４】
また、一般に、壁つなぎ用アンカー金具は、構造体に電気溶接で固定される（例えば特許文献１、２）。しかしながら、昨今の建築現場では、壁つなぎ用アンカー金具の取り付け以外で、電気溶接を行う事はほとんど無い。建築現場では、ボルト・ナットを使って構造部材を結合するからである。そのため、壁つなぎ用アンカー金具を構造体に固定するためだけに、建築現場に溶接機を用意する必要があり、そのための工数や経費が嵩むという問題がある。
【０００５】
また、電気溶接には、スパッタ等が外壁パネル等を汚損するという問題もある。また、汚損を防止するために外壁パネル等を養生するために工数や経費が嵩むという問題もある。
【０００６】
そこで、電気溶接に代えてドリルビスを使って、壁つなぎ用アンカー金具を構造体に固定することが提案されている（例えば、特許文献３）。
【先行技術文献】
【特許文献】
【０００７】
【特許文献１】実用新案登録第２５８７４５８号公報
【特許文献２】実開平３−５８４４号公報
【特許文献３】特開平０９−１６５９０６号公報
【非特許文献】
【０００８】
【非特許文献１】日本工業規格ＪＩＳ８９５１「鋼管足場」、図２
【非特許文献２】社団法人仮設工業会編  「新版  足場工事マニュアル」１９９２年  オーム社、Ｐ４７
【発明の概要】
【発明が解決しようとする課題】
【０００９】
特許文献３に開示されているように、ドリルビスを使って壁つなぎ用アンカー金具を構造体に固定すれば、電気溶接に起因する上述の問題は生じない。
【００１０】
しかしながら、特許文献３に開示された発明は、１本のドリルビスで壁つなぎ用アンカー金具を構造体に固定するものであり。そのドリルビスは、壁つなぎ金具と螺合する雌ねじと同軸に配置される。また、ドリルビスを挿通する丸穴は該雌ねじが切られた円筒の底に空けられている。
【００１１】
そのため、特許文献３の壁つなぎ用アンカー金具は、ねじりモーメントに対して弱いという問題があった。つまり、壁つなぎ用アンカー金具から着脱するために、壁つなぎ金具を捻ると、壁つなぎ用アンカー金具が壁つなぎ金具と一緒に回転する恐れがあった。その場合、壁つなぎ金具を壁つなぎ用アンカー金具から着脱することができないという問題が生じる。
【００１２】
また、特許文献３に開示された壁つなぎ用アンカー金具では、雌ねじが切られた円筒の中をドリルビスが通るので、ドリルビスの径を壁つなぎ金具の径に比べて小さくする必要がある。そのため、壁つなぎ金具と壁つなぎ用アンカー金具の設計が難しいという問題があった。
【００１３】
なぜならば、壁つなぎ金具と壁つなぎ用アンカー金具は直列に配置されて、同じ大きさの軸力が加わる。そのため、ドリルビスに必要な強度を与えるために、ドリルビスの径を大きくすれば、壁つなぎ金具の径は必要以上に大きくなるし、逆に、壁つなぎ金具の径を強度確保に必要な最小限の径にすれば、ドリルビスの径は更に小さくなるので、強度が不足するからである。また、ドリルビスの強度を確保しようとすれば、耐荷重の大きい高級（つまり高価）な素材が必要になる。
【００１４】
また、雌ねじの中にドリルビスを回す工具を挿入する必要があるので、締結作業が難しいという問題もあった。また、工具が雌ねじに接触して、雌ねじを破損させる危険もあった。
【００１５】
本発明は、上記課題に鑑みてなされたものであり、取付け作業が容易で、かつ設計、製造が容易な壁つなぎ用アンカー金具を提供することを目的とする。また、作業が容易で確実な、壁つなぎ用アンカー金具の取付け方法を提供することを目的とする。
【課題を解決するための手段】
【００１６】
上記課題を解決するため、本発明の壁つなぎ用アンカー金具は、ボルトと螺合するねじ部を一端に備え、建築物の構造体と当接する当接部を他端に備える壁つなぎ用アンカー金具において、前記当接部に複数の貫通穴が穿設されるとともに、前記貫通穴の軸心は前記ねじ部の軸心に対してオフセットされていることを特徴とする。
【００１７】
２個の前記貫通穴を前記当接部に穿設するようにしてもよい。
【００１８】
２個の前記貫通穴の軸心はいずれも前記ねじ部の軸心に対してオフセットされるようにしてもよい。
【００１９】
あるいは、前記ねじ部と前記当接部の間にはプレート状支持部があって、前記プレート状支持部は前記ねじ部と前記当接部を連結するとともに、前記当接部は前記プレート状支持部に対して直角をなすように構成してもよい。
【００２０】
また、平板を素材にして、前記平板の一端の部位を直角に折り曲げて前記当接部を形成するようにしてもよい。
【００２１】
また、前記平板の他端の部位を略半円形に湾曲させて、湾曲された前記部位を折り返して、円筒を形成し、更に前記円筒の内面にねじ溝を刻んで前記ねじ部を形成するようにしてもよい。
【００２２】
本発明の壁つなぎ用アンカー金具の固定方法は、ボルトと螺合するねじ部を一端に備え、建築物の構造体と当接する当接部を他端に備えるとともに、前記当接部に複数の貫通穴が穿設されて、前記貫通穴の軸心が前記ねじ部の軸心に対してオフセットされている壁つなぎ用アンカー金具を前記建築物の構造体に固定する壁つなぎ用アンカー金具の固定方法において、前記当接部を取付対象の建築物の構造体に当接させる取付工程と、ドリルビスを前記当接部の前記貫通穴に挿通して、前記ドリルビスを前記構造体に螺合させる穿孔・ねじ締め工程と、を有することを特徴とする。
【発明の効果】
【００２３】
本発明によれば、複数のドリルビスを使って壁つなぎ用アンカー金具を構造体に固定するので、壁つなぎ用アンカー金具は、ねじりモーメントに対して強固に固定される。また、貫通穴はねじ部から離れた部位にあるので、ドリルビスを回す工具がねじ部と干渉することがない。その為、固定作業が容易になる。また、該工具でねじ部を傷つける恐れがない。また、１枚の平板を曲げ加工して製造することができるので、安価に製造することができる。
【００２４】
また、電気溶接によらないで、壁つなぎ用アンカー金具を建築構造体に固定することができるので、建築現場に溶接機を配置する必要がない。また、スパッタ等による汚損を避けるための養生を外壁等に施す必要がない。そのため、工数や経費を節約することができる。
【図面の簡単な説明】
【００２５】
【図１】本発明の実施形態の一例を示す壁つなぎ用アンカー金具の外形図であり、（ａ）は平面図であり、（ｂ）は側面図であり、（ｃ）は側断面図である。
【図２】壁つなぎ用アンカー金具の使用形態を示す図である。
【図３】壁つなぎ用アンカー金具を建築構造体に取り付ける手順を示す図である。
【図４】壁つなぎ用アンカー金具の製造手順を示す斜視図である。
【発明を実施するための形態】
【００２６】
以下、本発明の具体的な実施形態を、図面を参照しながら説明する。
【００２７】
図１に示す壁つなぎ用アンカー金具１は、本発明の具体的な実施形態を示すものであり、略矩形の鋼板の一端にねじ部２を形成し、他端に当接部３を形成している。また、以後の説明の便宜のために、ねじ部２と当接部３の中間にあって、ねじ部２と当接部３を連結する部位をプレート状支持部４と呼ぶことにする。なお、図１（ａ）及び（ｂ）はそれぞれ壁つなぎ用アンカー金具１の平面図及び側面図であり，図１（ｃ）は壁つなぎ用アンカー金具１を図１（ａ）のＡ−Ａ’線で切断した側断面図である。
【００２８】
ねじ部２は、後述するジョイントボルトと螺合する連結部であり、前記鋼板を１８０度折り曲げて、つまり折り返して、重なり合った２枚の鋼板をそれぞれ外側（図１（ｂ）、（ｃ）において上下）に湾曲・膨出して成形された円筒の内面２ｂ（図１（ｃ）参照）に雌ねじ２ｃを刻んで構成される。
【００２９】
なお、ジョイントボルトの装着を容易にするために、ねじ部２の内径は前端入口（図１（ｃ）において、左端）において、ラッパ状に拡げられ、内部に入るに従って小さくなり、所定の位置から先は一定になっている。また、雌ねじ２ｃは前記所定の位置、つまり前端入口から所定の長さだけ内部に入った位置から先（図１（ｃ）において、右方向）に刻まれている。
【００３０】
当接部３は、建築物の構造体と当接する部位であり、前記鋼板の他端（ねじ部２の反対側の端部）を直角に折り曲げて形成され、２本の貫通穴５，６が穿設されている。なお平面図（図１（ａ））から明らかなように、貫通穴５，６の軸心５ａ，６ａは所定の間隔を空けて互いに平行に配置されている。また、軸心５ａ，６ａはねじ部２の軸心２ａに平行であり、軸心２ａに対して対称に配置されている。つまり軸心５ａ，６ａは軸心２ａに対してオフセットされている。
【００３１】
さて、図２に示すように、壁つなぎ用アンカー金具１は建築物７に固定して使用される。なお、Ｈ形鋼８は、建築物７の梁を構成する構造部材（一次部材）であり、定規アングル９はＨ形鋼８に溶接された二次部材である。下部壁パネル１０及び上部壁パネル１１は、建築物７の外壁を構成する軽量発泡コンクリート（ＡＬＣ）板であり、図示しない締結要素（例えば、ボルト、ナット）を使って建築物７に固定される。また、下部壁パネル１０と上部壁パネル１１の間には、目地１２が形成されている。
【００３２】
壁つなぎ用アンカー金具１のねじ部２とプレート状支持部４は目地１２の中にあり、当接部３は定規アングル９に当接して、ドリルビス１３によって定規アングル９に固定されている。つまり、壁つなぎ用アンカー金具１は、ドリルビス１３によって建築物７に固定されている。
【００３３】
ジョイントボルト１４は、下部壁パネル１０及び上部壁パネル１１の外側から目地１２の中に挿入されて、壁つなぎ用アンカー金具１のねじ部２に螺合固定されるボルトである。また、ジョイントボルト１４の先端は、下部壁パネル１０及び上部壁パネル１１の外方に突出し、図示しない壁つなぎ用金具に連結される。なお、外壁等に係る工事が終了すると、足場とともに、壁つなぎ用金具とジョイントボルト１４は撤去され、ジョイントボルト１４を撤去した後の目地１２にはモルタルが充填される。
【００３４】
さて、言うまでもないことだが、壁つなぎ用アンカー金具１は下部壁パネル１０の取り付け後に建築物７に取り付けられ、その後、上部壁パネル１１が建築物７に取り付けられる。以下、図３を参照しながら、壁つなぎ用アンカー金具１を建築物７に固定する手順を説明する。
【００３５】
下部壁パネル１０が建築物７に固定されたら、下部壁パネル１０の上端面に壁つなぎ用アンカー金具１を載置して、当接部３を定規アングル９に当接させる（図３（ａ）参照）（取付工程）。
【００３６】
次に、２本のドリルビス１３の先端をそれぞれ壁つなぎ用アンカー金具１の貫通穴５，６に通して、定規アングル９に当接させ（図３（ｂ）参照）、図示しない電動回転工具でドリルビス１３を回転させて、定規アングル９を穿孔し、ドリルビス１３を定規アングル９に螺合させる（図３（ｃ）参照）（穿孔・ねじ締め工程）。
【００３７】
最後に、壁つなぎ用アンカー金具１の上に上部壁パネル１１を載置して、建築物７に固定する（図３（ｄ）参照）。
【００３８】
なお、壁つなぎ用アンカー金具１を下部壁パネル１０の上端面に載置した後に、壁つなぎ用アンカー金具１のねじ部２をハンマーで軽く叩いて、ねじ部２の一部が下部壁パネル１０に埋まるようにしてもよい。また、上部壁パネル１１を壁つなぎ用アンカー金具１の上に載置する時に、上部壁パネル１１を壁つなぎ用アンカー金具１に押し当てれば、ねじ部２の一部が上部壁パネル１１に埋まる。このようにすれば、目地１２の高さを必要最小限に抑えることができる。
【００３９】
最後に、図４を参照しながら、壁つなぎ用アンカー金具１を製造する手順を説明する。
【００４０】
前述したように、壁つなぎ用アンカー金具１の素材は略矩形の鋼板であり、この鋼板をプレスで打ち抜いて、穴１５ａ〜１５ｃ及び貫通穴５，６を空ける（図４（ａ）参照）。なお穴１５ｃは、「曲げ精度窓」と呼ばれ、次工程（曲げ加工）において加工用の金型に形成された凸部と嵌合して、壁つなぎ用アンカー金具１の素材を該金型に対して正確に位置決めするのに役立つ。
【００４１】
次に、プレスで曲げ加工を行う。すなわち、前記鋼板を線１６（図４（ａ）参照）で直角に曲げて、当接部３を形成する（図４（ｂ）参照）。また、前記鋼板の当接部３の反対側の端部近傍を半円形に湾曲させて、湾曲部１７，１８を形成する。
【００４２】
更に、プレスで曲げ加工を行って、前記鋼板を線１９（図４（ｂ）参照）で、折り返すと、湾曲部１７，１８が互いに向かい合わせに重なって、円筒状の部位２０が形成される（図４（ｃ）参照）。折り返されて重ね合わされた鋼板は、スポット溶接（電気抵抗溶接）によって互いに接合されるが、スポット溶接に代えて、鋲接してもよい。
【００４３】
最後に、図示しないタップを使って、円筒状の部位２０に雌ねじを刻めば、ねじ部２が出来上がる。
【００４４】
なお、以上説明した実施形態は、本発明の例示であって、本発明の技術的範囲は上記実施形態には限定されない。本発明は特許請求の範囲に記載された技術的思想の範囲において、自由に変形、応用、あるいは改良して実施することができることは言うまでもない。
【００４５】
例えば、上記実施形態で示した壁つなぎ用アンカー金具１は、１枚の鋼板をプレスで曲げて製造されるが、本発明の技術的範囲はプレス加工で製造される壁つなぎ用アンカー金具１には限定されない。
【００４６】
複数の素材を接合（例えば、溶接、鍛接、鋲接など）して壁つなぎ用アンカー金具１を製造するようにしてもよい。例えば、当接部３とプレート状支持部４を別材で製造して、溶接するようにしてもよい。あるいは、別途製造されたナットをプレート状支持部４の端部に接合して、ねじ部２を形成するようにしてもよい。
【００４７】
あるいは、湾曲部１７と湾曲部１８を別部材で制作して、両者を重ね合わせて接合（例えば、溶接、鍛接、鋲接など）するようにしてもよい。
【００４８】
あるいは、ねじ部２、当接部３及びプレート状支持部４を一体鋳造して、ねじ部２に雌ねじを刻むようにしてもよい。あるいは、精密金型を使って、ねじ溝を含む全ての形状を鋳造成型するようにしてもよい。
【００４９】
また、上記実施形態では、当接部３をプレート状支持部４に対して直角に曲げた例を示したが、当接部３とプレート状支持部４のなす角度は、直角には限られない。当接部３が当接する構造体の形状に応じた角度を選ぶこともできる。また、「直角」は「実質的に直角」を意味し、幾何学的に厳密な直角を要求するものではないことは言うまでもない。また、直角に曲げられた当接部３とプレート状支持部４の間の隅部に、曲がり部（いわゆる「曲げアール」）が生じることは当然に許容される。
【００５０】
また、上記実施形態では、当接部３は単なる平板であるが、当接部３は平板には限定されない。例えば、当接部３の形状を当接部３が当接する構造体の形状に応じて、各種の形状を選ぶこともできる。あるいは、当接部３が構造体と係合するような形状にしてもよい。
【符号の説明】
【００５１】
１  壁つなぎ用アンカー金具
２  ねじ部
２ａ  軸心
２ｂ  内面
２ｃ  雌ねじ
３  当接部
４  プレート状支持部
５  貫通穴
５ａ  軸心
６  貫通穴
６ａ  軸心
７  建築物
８  Ｈ形鋼
９  定規アングル
１０  下部壁パネル
１１  上部壁パネル
１２  目地
１３  ドリルビス
１４  ジョイントボルト
１５ａ  穴
１５ｂ  穴
１５ｃ  穴（曲げ精度窓）
１６  線
１７  湾曲部
１８  湾曲部
１９  線
２０  円筒状の部位
【図１】
2011080235.tif 000003
【図２】
2011080235.tif 000004
【図３】
2011080235.tif 000005
【図４】
2011080235.tif 000006